(57)【特許請求の範囲】
【請求項１】
ハウジングと、前記ハウジングの後端部から引き出される電線とを備え、
前記ハウジングの後端部には、複数の仕切壁が形成され、かつ各仕切壁間に、電線導入溝が保有され、前記電線導入溝が、少なくとも後方及びそれに交差する電線導出方向に開放され、
引き出された前記電線が、屈曲させられ、その屈曲部位よりも先方の部分が、前記電線導入溝内に挿入されて前記電線導出方向に向けられるようになっているコネクタであって、
前記電線導入溝の縁部には、前記電線導入溝内に前記電線が挿入される過程では前記電線との干渉によって前記電線導入溝内に撓み変形させられ、前記電線導入溝内に前記電線が挿入されるに伴い弾性復帰して、前記電線に対して前記電線導入溝からの抜け出しを規制した状態で前記電線の後方から当接可能とされる弾性片が形成され、前記弾性片と前記仕切壁とで断面略Ｌ字形又は略Ｔ字形をなしていることを特徴とするコネクタ。
【請求項２】
前記電線導入溝の出口が、前記ハウジングにおける最後端の位置よりも前方の位置に配置されていることを特徴とする請求項１記載のコネクタ。
【請求項３】
前記電線導入溝が、前記ハウジングに複数形成され、
前記弾性片が、前記電線導入溝の後方を閉止する向きに張り出す形態であって、それぞれの前記電線導入溝に対応して複数形成され、
それぞれの前記弾性片のうち、一部は一側方に向けて張り出す形態とされ、他部は他側方に向けて張り出す形態とされていることを特徴とする請求項１又は２記載のコネクタ。
【請求項４】
前記弾性片が、前記電線の前記電線導入溝内への挿入方向に沿って傾斜する案内面を有するとともに、前記電線と前記電線導入溝からの抜け方向で対向する係止面を有し、かつ、隣接する前記電線導入溝の間を仕切る仕切壁の後端縁から両側方に向けて張り出す形態とされている請求項３記載のコネクタ。
【発明の詳細な説明】
【技術分野】
【０００１】
本発明は、コネクタに関する。
【背景技術】
【０００２】
従来のコネクタが、特許文献１に開示されている。このものは、ハウジングと、ハウジングの後端部に装着されるカバーとを備えている。ハウジングには、電線の端末に接続される端子金具が挿入され、ハウジングの後端部からは電線が引き出されている。ハウジングの後端部には、電線の引き出し方向と直交する方向に延びる電線導入溝が保有されている。
電線は、その導出方向に予め折り曲げられた状態で、カバーの装着に伴いカバーに押圧されて略直角により深く屈曲させられ、屈曲部位よりも先方の部分を電線導入溝内に挿入させるようになっている。
【先行技術文献】
【特許文献】
【０００３】
【特許文献１】特開平９-１９９２２０号公報
【発明の概要】
【発明が解決しようとする課題】
【０００４】
ところで、上記従来のコネクタの場合、電線を導出させるにあたり、電線を予め折り曲げた上で、ハウジングの後端部にカバーを装着させねばならない。このため、作業工数が増え、作業効率が必ずしも良くないという事情がある。
【０００５】
本発明は上記のような事情に基づいて完成されたものであって、電線導出時の作業性を改善することを目的とする。
【課題を解決するための手段】
【０００６】
上記の目的を達成するための手段として、請求項１の発明は、ハウジングと、前記ハウジングの後端部から引き出される電線とを備え、前記ハウジングの後端部には、複数の仕切壁が形成され、かつ各仕切壁間に、電線導入溝が保有され、前記電線導入溝が、少なくとも後方及びそれに交差する電線導出方向に開放され、引き出された前記電線が、屈曲させられ、その屈曲部位よりも先方の部分が、前記電線導入溝内に挿入されて前記電線導出方向に向けられるようになっているコネクタであって、前記電線導入溝の縁部には、前記電線導入溝内に前記電線が挿入される過程では前記電線との干渉によって前記電線導入溝内に撓み変形させられ、前記電線導入溝内に前記電線が挿入されるに伴い弾性復帰して、前記電線に対して前記電線導入溝からの抜け出しを規制した状態で前記電線の後方から当接可能とされる弾性片が形成され、前記弾性片と前記仕切壁とで断面略Ｌ字形又は略Ｔ字形をなしているところに特徴を有する。
【０００７】
請求項２の発明は、請求項１に記載のものにおいて、前記電線導入溝の出口が、前記ハウジングにおける最後端の位置よりも前方の位置に配置されているところに特徴を有する。
【０００８】
請求項３の発明は、請求項１又は２に記載のものにおいて、前記電線導入溝が、前記ハウジングに複数形成され、前記弾性片が、前記電線導入溝の後方を閉止する向きに張り出す形態であって、それぞれの前記電線導入溝に対応して複数形成され、それぞれの前記弾性片のうち、一部は一側方に向けて張り出す形態とされ、他部は他側方に向けて張り出す形態とされているところに特徴を有する。
【０００９】
請求項４の発明は、請求項３に記載のものにおいて、前記弾性片が、前記電線の前記電線導入溝内への挿入方向に沿って傾斜する案内面を有するとともに、前記電線と前記電線導入溝からの抜け方向で対向する係止面を有し、かつ、隣接する前記電線導入溝の間を仕切る仕切壁の後端縁から両側方に向けて張り出す形態とされているところに特徴を有する。
【発明の効果】
【００１０】
＜請求項１の発明＞
電線導入溝内に電線が挿入される過程では弾性片が撓み変形することで、電線の電線導入溝内への挿入が許容され、電線導入溝内に電線が挿入された状態では、弾性復帰した弾性片によって電線の電線挿入溝からの抜け出しが規制される。このため、電線が電線導入溝内にワンモーションで挿入され、電線導出時の作業性が大幅に改善される。
【００１１】
＜請求項２の発明＞
電線導入溝の出口がハウジングにおける最後端の位置よりも前方の位置に配置されているため、電線がハウジングの最後端から後方へ突出するのが回避され、コネクタの前後長が長くなるのが防止される。この場合、ハウジングの後端部にカバーが装着されていないと、コネクタの前後長がよりいっそう短縮される。
【００１２】
＜請求項３の発明＞
弾性片のうち、一部は一側方に向けて張り出す形態とされ、他部は他側方に向けて張り出す形態とされているから、電線が一側方に振られた場合には他側方に向けて張り出す弾性片が電線との係止代を深め、電線が他側方に振られた場合には一側方に向けて張り出す弾性片が電線との係止代を深めることができる。したがって、電線が両側方のいずれに振られても、電線に対する弾性片の係止代が減少するのが防止される。
【００１３】
＜請求項４の発明＞
弾性片が、電線の電線導入溝への挿入方向に沿って傾斜する案内面を有しているから、電線の電線導入溝への挿入動作が円滑になされる。また、弾性片が、電線と電線導入溝からの抜け方向で対向する係止面を有し、かつ隣接する電線導入溝の間を仕切る仕切壁の後端縁から両側方に向けて張り出す形態とされているから、電線の電線導入溝からの抜け出しが確実に規制される。
【図面の簡単な説明】
【００１４】
【図１】本発明の実施形態１に係るコネクタの背面図である。
【図２】図１のＸ−Ｘ断面図である。
【図３】コネクタの一部破断側面図である。
【図４】コネクタの一部破断背面図である。
【図５】実施形態２に係るコネクタの要部断面図である。
【図６】実施形態３に係るコネクタの要部拡大断面図である。
【発明を実施するための形態】
【００１５】
＜実施形態１＞
本発明の実施形態１を図１ないし図４によって説明する。実施形態１に係るコネクタ１０は、ハウジング２０、端子金具８０、及び電線９０を備えて構成されている。
【００１６】
ハウジング２０は合成樹脂製であって、図３及び図４に示すように、全体として扁平な角ブロック状をなしている。ハウジング２０内には、複数のキャビティ２１が幅方向に一列となって形成されている。各キャビティ２１内には、端子金具８０が前後方向に沿って挿入されている。端子金具８０は、電線９０の端末部にかしめ付けして接続されている。また、ハウジング２０の上面には、撓み可能なロックアーム２２が前後方向に延出して形成されている。ロックアーム２２は、図示しない相手ハウジングを弾性的に係止することにより、両ハウジングを嵌合状態に保持する役割をはたす。さらに、ハウジング２０の上面の後端部には、一対の規制片２３が突出して形成されている。ロックアーム２２の後端両側縁部が両規制片２３に当接することにより、ロックアーム２２の捲れ上がりが防止されるようになっている。
【００１７】
ハウジング２０の後端部には、複数の仕切壁２４が幅方向に並列に形成され、各仕切壁２４の間に、電線導入溝２５が保有されている。各仕切壁２４は、上下方向（高さ方向）に沿って配置され、隣接するキャビティ２１間を仕切る隔壁に連続する形態とされている。
【００１８】
電線導入溝２５は、キャビティ２１と連通するとともに、上下方向に延出する形態であって、各仕切壁２４によって互いに区画されているとともに、ハウジング２０の両側壁２６によって両側方を閉止され、かつハウジング２０の上壁２７によって上方を閉止されている。言い換えれば、電線導入溝２５は、後方及び下方の２方向に開放されている。この場合、図１に示すように、電線導入溝２５の略上半部となる入り口側には、キャビティ２１から電線９０が引き出される電線引出口２８が開口され、電線導入溝２５の略下半部となる出口側には、ここからハウジング２０外に電線９０が導出される電線導出口２９が開口されている。電線導出口２９は、電線導出方向となる下方に開放され、ハウジング２０における最後端の位置よりも前方に入った位置に配置されている。
【００１９】
ハウジング２０の下面の後端部には、電線導入溝２５の出口側（下端側）における前方及び両側方を閉止する包囲壁３１が突出して形成されている。包囲壁３１は、後方に開放された枠状の形態とされている。
【００２０】
さて、電線導入溝２５の縁部となる、各仕切壁２４の後端縁には、それぞれ、爪状の弾性片３２が形成され、各弾性片によって、電線導入溝２５の後方が部分的に閉止されている。各弾性片３２は、矩形板状であって仕切壁２４とともに全体として断面略Ｌ字をなし、仕切壁２４の連結部位を支点として撓み変形可能とされている。本実施形態の場合、各弾性片３２の張り出し方向は、いずれも一側方（図示向かって右側）に向けられている。各弾性片３２の張り出し端と、これに対向する仕切壁２４との間は、電線９０の直径よりも小さい開口幅とされ、各弾性片３２の前端面と、これに対向する電線導入溝２５の底面との間は、電線９０の直径とほぼ同じ離間寸法とされている。
【００２１】
次に、本実施形態に係るコネクタ１０において、電線導出時の作業方法について説明する。
ハウジング２０の各キャビティ２１内に、電線９０付きの端子金具８０を挿入する。全ての端子金具８０が挿入されると、ハウジング２０の後端部から各電線９０が並列に引き出される。
【００２２】
続いて、引き出された電線９０における電線引出口２８よりも後方の部分を、電線導出方向へ向けて略直角に屈曲させ、電線９０における屈曲部位よりも先方の部分を、電線導入溝２５内に挿入する。挿入の過程では、弾性片３２が電線９０との干渉によって電線導入溝２５内に撓み変形させられる。電線９０が電線導入溝２５内に正規挿入されると、弾性片３２と電線９０との干渉状態が解除され、もって弾性片３２が元の状態に向けて弾性復帰する。すると、図２及び図３に示すように、弾性片３２が電線９０に対してその後方から当接可能に配置される。これにより、電線９０が電線導入溝２５内に抜け止め状態で保持される。
【００２３】
以上説明したように、本実施形態によれば、電線９０が電線導入溝２５内にワンモーションで節度感良く挿入されるから、電線導出時の作業性が大幅に改善される。とりわけ、本実施形態の場合、電線９０を強制的に屈曲させるためのカバーが不要とされるため、構成の簡素化、及び部品点数の削減が実現される。
【００２４】
また、電線導出口２９がハウジング２０における最後端の位置よりも前方の位置に配置されていることにより、ハウジング２０の後端部から後方に電線９０が突出することがないから、コネクタ１０の前後長が長くなるのが防止される。この場合、カバーが省略されていることにより、コネクタ１０の前後長がよりいっそう短縮されることとなる。
【００２５】
＜実施形態２＞
次に、本発明の実施形態２を図５によって説明する。実施形態２では、弾性片３２Ａ、３２Ｂの張り出し方向が実施形態１とは異なる。しかし、その他は実施形態１と同様であるため、各弾性片３２Ａ、３２Ｂ及びその周辺部分を除く部分の図示は省略する。
【００２６】
弾性片は、各仕切壁２４の後端縁から一側方（図示向かって右側）に向けて張り出す第１弾性片３２Ａと、各仕切壁２４の後端縁から他側方（図示向かって左側）に向けて張り出す第２弾性片３２Ｂとからなる。つまり、第１、第２弾性片３２Ａ、３２Ｂは、互いの張り出し方向を異にして構成されている。具体的には、第１弾性片３２Ａは、幅方向一側の各仕切壁２４に形成され、第２弾性片３２Ｂは、幅方向他側の各仕切壁２４に形成されている。そして、幅方向中央の仕切壁２４は、第１、第２弾性片３２Ａ、３２Ｂの双方を有しており、第１、第２弾性片３２Ａ、３２Ｂの双方とともに断面略Ｔ字をなしている。一方、幅方向両側の仕切壁２４は、第１、第２弾性片３２Ａ、３２Ｂのいずれかとともに断面略Ｌ字をなしている。
【００２７】
実施形態２によれば、弾性片の一部が一側方に向けて張り出す第１弾性片３２Ａとされ、弾性片の他部が他側方に向けて張り出す第２弾性片３２Ｂとされているから、仮に、導出された電線９０が一側方に振られた場合には第２弾性片３２Ｂが電線９０との係止代を深め、導出された電線９０が他側方に振られた場合には第１弾性片３２Ａが電線９０との係止代を深めることができる。したがって、電線９０が両側方のいずれに振られても、電線９０に対する弾性片３２Ａ、３２Ｂの係止代が減少するのが防止される。
【００２８】
＜実施形態３＞
図６は、本発明の実施形態３を示す。実施形態３では、弾性片３２Ｅの形態が実施形態１とは異なる。しかし、その他は実施形態１と同様であるため、弾性片３２Ｅ及びその周辺部分を除く部分の図示は省略する。
【００２９】
弾性片３２Ｅは、仕切壁２４の後端縁から両側方に張り出す形態とされ、仕切壁２４とともに断面略Ｔ字をなしている。そして、弾性片３２Ｅの後端面は、電線９０の電線導入溝２５内への挿入方向に沿ってテーパ状に傾斜する案内面３８とされ、弾性片３２Ｅの前端面は、電線９０に対して電線導入溝２５からの抜け方向で対向する係止面３９とされている。係止面３９は、電線９０の外周面にほぼ沿うような曲面状をなしている。係止面３９が曲面状をなすことにより、弾性片３２Ｅの根元部分（仕切壁２４との連結部位）の厚みが増加させられている。
【００３０】
実施形態３によれば、弾性片３２Ｅが案内面３８を有するため、電線９０の電線導入溝２５内への挿入動作が円滑になされる。また、弾性片３２Ｅが、電線導入溝２５から電線９０が抜け出る方向と対向する係止面３９を有し、かつ仕切壁２４の後端縁から両側方に向けて張り出す形態とされているから、電線９０の電線導入溝２５からの抜け出しが確実に規制される。とりわけ、係止面３９が曲面状をなすため、弾性片３２Ｅの根元部分の厚みが増加して、電線９０に対する係止強度がより高められる。
【００３１】
＜他の実施形態＞
本発明は上記記述及び図面によって説明した実施形態に限定されるものではなく、例えば次のような実施形態も本発明の技術的範囲に含まれる。
（１）本発明は、けっしてハウジングの後端部にカバーを装着する構成を否定するものではない。
（２）弾性片は、電線導入溝内に挿入された電線に対し、常には非当接状態に保たれる一方、電線が電線導入溝から抜け出る向きに振られたときに、電線と当接して電線の抜け出しを規制するものであってもよい。
（３）電線は、前後方向に対して直交せずに交差する方向に屈曲させられるものであってもよい。
（４）電線導入溝は、後方及びそれに交差する２方向に開放されるものであってもよい。
【符号の説明】
【００３２】
１０…コネクタ
２０…ハウジング
２４…仕切壁
２５…電線導入溝
３２、３２Ａ、３２Ｂ、３２Ｅ…弾性片
３８…案内面
３９…係止面
８０…端子金具
９０…電線
【図１】
0005488144.tif 000002
【図２】
0005488144.tif 000003
【図３】
0005488144.tif 000004
【図４】
0005488144.tif 000005
【図５】
0005488144.tif 000006
【図６】
0005488144.tif 000007